(57)【要約】      （修正有）【課題】湿式選別方法で行われる熱灼減量５％以下を水処理なしで調整可能とした建築混合廃棄物のふるい下残渣の乾式精選選別システムを提供する。【解決手段】建築混合廃棄物の概ね１０ｍｍ〜２０ｍｍ未満又は概ね１０ｍｍ未満のふるい下残渣を精選するための乾式選別システムであって、モータによって振動せしめられる振動篩板２０，５０を傾斜して設け、送風手段２２，５１によって送風された空気を振動篩板面に吹き上げ、振動篩板面にふるい下残渣を投入し、振動篩板を通過しなかった比重の大きい被選別物質を上端方向に、比重の小さい被選別物質を下端方向に分離移動せしめ、振動篩板を通過する比重の大きい被選別物質を振動篩板の網下に落下せしめることにより被選別物質を比重により選別する比重差選別装置１８，４２を複数設けてなり、下流側に設けた比重差選別装置の振動数を上流側よりも大きくした。【選択図】図１
0003191023.tif 000002
【実用新案登録請求の範囲】
【請求項１】
建築混合廃棄物の概ね１０ｍｍ〜２０ｍｍ未満又は概ね１０ｍｍ未満のふるい下残渣を精選するための乾式選別システムであって、
モータによって振動せしめられる振動篩板を傾斜して設け、送風手段によって送風された空気を前記振動篩板面に吹き上げ、前記振動篩板面に前記ふるい下残渣を投入し、前記振動篩板を通過しなかった比重の大きい被選別物質を上端方向に、比重の小さい被選別物質を下端方向に分離移動せしめ、前記振動篩板を通過する比重の大きい被選別物質を前記振動篩板の網下に落下せしめることにより被選別物質を比重により選別する比重差選別装置を複数設けてなり、
前記複数の比重差選別装置のうち、下流側に設けた比重差選別装置の振動数を上流側の比重差選別装置よりも大きくしてなることを特徴とするふるい下残渣の乾式精選選別システム。
【請求項２】
前記複数の比重差選別装置のうち、下流側に設けた比重差選別装置の振動数を上流側の比重差選別装置よりも５Ｈｚ以上大きくしてなることを特徴とする請求項１記載のふるい下残渣の乾式精選選別システム。
【請求項３】
前記比重差選別装置の下流側に乾式洗浄機を設けたことを特徴とする請求項１又は２記載のふるい下残渣の乾式精選選別システム。
【請求項４】
前記乾式洗浄機が、両端が開口部とされた円筒網があり前記円筒網が内部に回転羽根を持ち傾斜して設けられており、前記回転羽根が回転している間に上端の開口部より投入された被選別物質同士が互いに擦りあわされ、粒径の小さい被選別物質は、前記円筒網を通過して網下に落下し、前記円筒網の網下に落下しなかった粒径の大きい被選別物質は、下端の開口部より排出され、熱灼減量を調整できるようにしてなることを特徴とする請求項３記載のふるい下残渣の乾式精選選別システム。
【考案の詳細な説明】
【技術分野】
【０００１】
本考案は、建築混合廃棄物の概ね２０ｍｍ未満のふるい下残渣を精選することにより、熱灼減量を調整できるようにした、建築混合廃棄物の乾式精選選別システムに関する。
【背景技術】
【０００２】
従来、建設工事や建築物の解体等によって生じる建築廃材としては、木片、段ボール等の紙片、布片、プラスチック片、ゴム片等々の可燃物（有機物）やコンクリート片、アスファルト片、石、鉄筋等の金属片、銅等の非鉄金属片、ガラス片、陶磁器片等々の不燃物（無機物）、土砂、塵埃等々の廃棄物が混在して建築混合廃棄物となっている。
【０００３】
そして、これら建築混合廃棄物は、手選別、風力選別、振動ふるい等で選別され、それぞれ選別されたものに応じて資材として再利用される。このような選別に使用される選別装置としては、例えば特許文献１や特許文献２に示される比重差選別装置がある。また、建築混合廃棄物を選別するための選別システムとして、様々な選別システムが提案されているが、例えば特許文献３に示す建築廃材の選別システムなどがある。
【０００４】
一方、上記した選別過程においては、選別機のふるい網を通過した「ふるい下残渣」と呼ばれる、概ね１０〜２０ｍｍ未満の土砂混じりの残渣が生じる。このふるい下残渣は、安定型廃棄物として取り扱えない管理型混合廃棄物である。
【０００５】
上記したふるい下残渣は、管理型混合廃棄物であるものの、ガイドライン改訂により、今後は、廃棄物該当性に関する総合判断説に準拠の上、目視による異物混入がなく、熱灼減量５％以下であるなどの所定の要件を満たす場合には、資材等として販売、または自ら利用することが可能となる。
【０００６】
しかしながら、概ね１０〜２０ｍｍ未満のふるい下残渣は、上述のような様々な従来の選別システムで精選した後に生じる残渣であるため、従来の選別システムでは選別できないという問題があった。
【先行技術文献】
【特許文献】
【０００７】
【特許文献１】特開平１１−２６２７３３号公報
【特許文献２】実用新案登録第３１２８９３３号公報
【特許文献３】特開２００５−２７９５６８号公報
【考案の概要】
【考案が解決しようとする課題】
【０００８】
本考案は、上記した従来技術の問題点に鑑みなされたもので、建築混合廃棄物の概ね２０ｍｍ未満のふるい下残渣を精選することにより、通常湿式選別方法で行われる熱灼減量５％以下を水処理なしで調整できるようにした建築混合廃棄物のふるい下残渣の乾式精選選別方式のシステムを提供することを目的とする。
【課題を解決するための手段】
【０００９】
上記課題を解決するために、本考案のふるい下残渣の乾式精選選別システムは、建築混合廃棄物の概ね１０ｍｍ〜２０ｍｍ未満又は概ね１０ｍｍ未満のふるい下残渣を精選するための乾式選別システムであって、モータによって振動せしめられる振動篩板を傾斜して設け、送風手段によって送風された空気を前記振動篩板面に吹き上げ、前記振動篩板面に前記ふるい下残渣を投入し、前記振動篩板を通過しなかった比重の大きい被選別物質を上端方向に、比重の小さい被選別物質を下端方向に分離移動せしめ、前記振動篩板を通過する比重の大きい被選別物質を前記振動篩板の網下に落下せしめることにより被選別物質を比重により選別する比重差選別装置を複数設けてなり、前記複数の比重差選別装置のうち、下流側に設けた比重差選別装置の振動数を上流側の比重差選別装置よりも大きくしてなることを特徴とする。
【００１０】
前記複数の比重差選別装置のうち、下流側に設けた比重差選別装置の振動数を上流側の比重差選別装置よりも５Ｈｚ以上大きくしてなるのが好ましく、下流側に設けた比重差選別装置の振動数を上流側の比重差選別装置よりも１０Ｈｚ〜３０Ｈｚ程度大きくしてなるのがさらに好ましい。
【００１１】
前記比重差選別装置の下流側に乾式洗浄機を設けるのが好ましい。前記乾式洗浄機は、無機物に付着した有機物を剥離するために設けられる。なお、本明細書において、有機物とは、木片、段ボール等の紙片、布片、プラスチック片、ゴム片等々の可燃物を指し、無機物とは、コンクリート片、アスファルト片、石、鉄筋等の金属片、銅等の非鉄金属片、ガラス片、陶磁器片等々の不燃物を指す。
【００１２】
また、前記乾式洗浄機が、両端が開口部とされた円筒網があり前記円筒網が内部に回転羽根を持ち傾斜して設けられており、前記回転羽根が回転している間に上端の開口部より投入された被選別物質同士が互いに擦りあわされ、粒径の小さい被選別物質は、前記円筒網を通過して網下に落下し、前記円筒網の網下に落下しなかった粒径の大きい被選別物質は、下端の開口部より排出され、熱灼減量を調整できるようにしてなるのが好適である。
【考案の効果】
【００１３】
本考案のふるい下残渣の乾式精選選別システムによれば、建築混合廃棄物の概ね１０〜２０ｍｍ未満のふるい下残渣を精選することにより、熱灼減量を調整でき、通常湿式選別方法で行われる熱灼減量５％以下を水処理なしで調整できるという著大な効果を奏する。これにより建築混合廃棄物の中間処理のリサイクル率向上と精選礫砂の再利用の可能性が生じることとなる。
【図面の簡単な説明】
【００１４】
【図１】本考案に係るふるい下残渣の乾式精選選別システムの全体的構成の概略説明図である。
【図２】本考案に係るふるい下残渣の乾式精選選別システムを用いた精選工程の精選フロー図である。
【図３】本考案に係るふるい下残渣の乾式精選選別システムで好適に用いられる乾式洗浄機であって、一つの実施の形態を示す概略正面図である。
【図４】図３の概略側面図である。
【図５】図３及び図４に示した乾式洗浄機の概略説明図である。
【考案を実施するための形態】
【００１５】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１６】
本考案に係るふるい下残渣の乾式精選選別システムの全体的構成及びフローについて図１及び図２に基づいて説明する。図１において、符号１０は本考案の乾式精選選別システムを示す。
【００１７】
本考案に係るふるい下残渣の乾式精選選別システム１０は、建築混合廃棄物のふるい下残渣を精選するための選別システムである。精選される被選別物質であるふるい下残渣としては、建築混合廃棄物の概ね１０〜２０ｍｍ未満又は概ね１０ｍｍ未満のふるい下残渣を好適に精選可能である。
【００１８】
図１において、符号１２は、被選別物質（ふるい下残渣）を投入するための投入ホッパである。投入ホッパ１２に投入された被選別物質は、コンベア１４及び振動フィーダ１６を通って、第一の比重差選別装置１８に投入される。
【００１９】
第一の比重差選別装置１８は、モータによって振動せしめられる振動篩板２０を傾斜して設け、送風手段２２によって送風された空気を前記振動篩板２０面に吹き上げ、前記振動篩板面に前記ふるい下残渣を投入し、前記振動篩板を通過しなかった比重の大きい被選別物質を上端方向に、比重の小さい被選別物質を下端方向に分離移動せしめ、前記振動篩板２０を通過する比重の大きい被選別物質を前記振動篩板の網下に落下せしめることにより被選別物質を比重により選別する比重差選別装置である。このような比重差選別装置としては、従来公知のものが使用でき、例えば特許文献１〜３などに記載された比重差選別装置を使用可能である。
【００２０】
第一の比重差選別装置１８では、比重の大きい（例えば比重が０．９以上）砕石などの重比重物の被選別物質が上端方向に移動して排出される。比重の小さい（例えば比重０．２以下且つ比重０．０１を超えるもの）有機物などの軽比重物の被選別物質は下端方向に移動して排出され、これにより有機物が除去される。
【００２１】
また、第一の比重差選別装置１８では、比重の非常に小さい集塵物（例えば比重０．０１以下）は集塵フード２４で集塵されて排出される。
【００２２】
さらに、第一の比重差選別装置１８では、前記振動篩板２０を通過する比重の大きい（例えば比重１．１以上）砂などの被選別物質は網下に落下せしめられる。
【００２３】
第一の比重差選別装置１８において、上端方向に移動して排出された重比重物の被選別物質は、コンベア２６を通って破砕機２８で破砕され、コンベア３０を通って乾式洗浄機３２へと送られる。破砕機２８としては、従来公知のものを使用できる。
【００２４】
一方、第一の比重差選別装置１８において、下端方向に移動して排出された軽比重物の被選別物質は、粒度選別機３４に送られる。粒度選別機３４は振動篩機とも呼ばれるもので、網板（ふるい）を取付けた枠体を振動させることで網板を振動させておき、該網板の上に被選別物質を投入し、網板の上には粒径の大きいものを残し、網板の下には粒径の小さいものを落下させることによって粒度選別を行うものである。このような粒度選別機としては、従来公知のものが使用でき、例えば特許文献２などに記載された粒度選別機を使用可能である。
【００２５】
第一の比重差選別装置１８において、振動篩板２０の網下に落下せしめられた比重の大きい被選別物質はコンベア３６を通ってクッションホッパ３８へと送られ、振動フィーダ４０を介して第二の比重差選別装置４２へと送られ再選別される。
【００２６】
第二の比重差選別装置４２は、第一の比重差選別装置１８と同様の構成であり、モータによって振動せしめられる振動篩板５０を傾斜して設け、送風手段５１によって送風された空気を前記振動篩板５０面に吹き上げ、前記振動篩板面に前記ふるい下残渣を投入し、前記振動篩板５０を通過しなかった比重の大きい被選別物質を上端方向に、比重の小さい被選別物質を下端方向に分離移動せしめ、前記振動篩板を通過する比重の大きい被選別物質を前記振動篩板の網下に落下せしめることにより被選別物質を比重により選別する比重差選別装置である。
【００２７】
第二の比重差選別装置４２は、第一の比重差選別装置１８と同様の構成の装置であるが、振動数が第一の比重差選別装置１８よりも大きく設定されている。一般的には比重差選別装置の振動数は５０Ｈｚ程度で使用されるが、例えば上流側に設けた第一の比重差選別装置１８の振動数を５０Ｈｚ程度とした場合には、下流側の第二の比重差選別装置４２の振動数を６０Ｈｚ程度に設定する。すなわち、上流側に設けた第一の比重差選別装置１８の振動数よりも、下流側の第二の比重差選別装置４２の振動数を５Ｈｚ以上大きく設定するのが好適である。
【００２８】
また、粒度選別機３４において、網板の網下に落下せしめられた粒径の小さい被選別物質もコンベア４４を通ってクッションホッパ３８へと送られ、振動フィーダ４０を介して第二の比重差選別装置４２へと送られる。
【００２９】
粒度選別機３４において、網板を通過しなかった粒径の大きい被選別物質は、コンベア４６を通って、有機物４８として選別される。
【００３０】
また、第二の比重差選別装置４２において、下端方向に移動して排出された軽比重物の被選別物質は、コンベア４６を通って、有機物４８として選別される。
【００３１】
また、第二の比重差選別装置４２でも、比重の非常に小さい集塵物は集塵フード４９で集塵されて排出される。
【００３２】
第二の比重差選別装置４２において、上端方向に移動して排出された重比重物の被選別物質及び振動篩板５０の網下に落下した比重の大きい被選別物質は、コンベア５２及びコンベア５４をそれぞれ通って乾式洗浄機３２へと送られる。
【００３３】
乾式洗浄機３２では、被選別物質同士が互いに擦り合わされ揉み洗いされる。これにより、被選別物質の無機物の表面に付着した有機物が剥離除去される。磨砕せしめられた粒度の小さい被選別物質は、円筒網５６を通過して網下に落下し、前記円筒網５６の網下に落下しなかった粒径の大きい被選別物質は、下端の開口部より排出されることとなる。円筒網５６を通過して網下に落下した被選別物質及び下端の開口部より排出された被選別物質は、コンベア５８を通って、礫砂６０として選別される。
【００３４】
また、乾式洗浄機３２で剥離除去された有機物は、集塵されて排出される。
【００３５】
第一の比重差選別装置１８、第二の比重差選別装置４２及び乾式洗浄機３２からの排出される集塵物は、集塵機６２によって集塵される。集塵機６２では、旋回気流でダストが分離され、有機物は、有機物４８として選別される。比重の軽いダストは、さらにバグフィルタ６４へと送られ、フィルタで濾過された有機物は、有機物４８として選別される。清浄となった空気は、ブロア６６によって大気中に放出される。なお、符号６８は、バグフィルタ６４に接続されたコンプレッサである。
【００３６】
本考案の乾式精選選別システム１０に好適に用いられる乾式洗浄機について、図３〜５に基づいてさらに具体的に説明する。
【００３７】
図３〜５において、乾式洗浄機３２は、投入口７０を有する枠体７２に、円筒網５６が回転軸７４を介して支持されることで回転可能とされており、前記円筒網５６は、図５のように傾斜可能とされている。符号７６は駆動モータであり、回転軸７４を回転させる。両端が開口部７８，８０とされた円筒網５６が傾斜した状態で前記円筒網５６が回転している間に投入口７０より投入された被選別物質は、上端の開口部７８より円筒網５６内側へと導入され、被選別物質同士が互いに擦りあわされて揉み洗いされ、無機物の表面に付着した有機物が剥離除去される構成とされている。
【００３８】
このように互いに擦りあわされることで磨砕効果が生じ、磨砕された粒径の小さい被選別物質は、前記円筒網５６を通過して網下に落下し、シュータ８２を通って網下排出口８４より排出され、上述のように礫砂６０として選別される。
【００３９】
また、表面に付着した有機物が剥離除去され、前記円筒網５６の網下に落下しなかった粒径の大きい被選別物質は、下端の開口部８０より排出されて下端排出口８６を通って、上述のように礫砂６０として選別される。
【００４０】
乾式洗浄機３２内の浮遊するダストは、それぞれ集塵フード８８，９０を通って上述した集塵機６２によって集塵される。
【００４１】
このように、本考案では、複数の比重差選別装置を設け、下流側に設けた比重差選別装置の振動数を上流側の比重差選別装置よりも大きくしてなるようにしたことに特徴がある。図示例では、第一の比重差選別装置１８及び第二の比重差選別装置４２を設け、第二の比重差選別装置４２の振動数を第一の比重差選別装置１８の振動数よりも大きくするように構成したが、複数の比重差選別装置を設ければよいものであるから、３台以上の比重差選別装置を設け、下流側にいくに従って振動数が大きくなるように構成したりすることもできる。
【００４２】
本考案では、第一の比重差選別装置１８及び第二の比重差選別装置４２の上端方向に移動して排出される重比重物の被選別物質並びに網下落下する比重の大きい被選別物質は有機物混入量がさらに減少し、熱灼減量精度が高められることとなる。
【００４３】
また、第二の比重差選別装置４２の上端方向に移動して排出される重比重物の被選別物質並びに網下落下する比重の大きい被選別物質の表面に固着した有機分は乾式洗浄機３２を経由することで剥離除去され、選別されるので、熱灼減量精度はさらに向上する。
【００４４】
このように、熱灼減量精度の向上により埋立て処分対象品がリサイクルできる可能性が高まり、処理費用の削減や確保資源量向上が期待できることとなる。
【符号の説明】
【００４５】
１０：本考案に係るふるい下残渣の乾式精選選別システム、１２：投入ホッパ、１４，２６，３０，３６，４４，４６，５２，５４，５８：コンベア、１６，４０：振動フィーダ、１８：第一の比重差選別装置、２０：振動篩板、２２，５１：送風手段、２４，４９，８８，９０：集塵フード、２８：破砕機、３２：乾式洗浄機、３４：粒度選別機、３８：クッションホッパ、４２：第二の比重差選別装置、４８：有機物、５０：振動篩板、５６：円筒網、６０：礫砂、６２：集塵機、６４：バグフィルタ、６６：ブロア、６８：コンプレッサ、７０：投入口、７２：枠体、７４：回転軸、７６：駆動モータ、７８，８０：開口部、８２：シュータ、８４：網下排出口、８６：下端排出口。
【図１】
0003191023.tif 000003
【図２】
0003191023.tif 000004
【図３】
0003191023.tif 000005
【図４】
0003191023.tif 000006
【図５】
0003191023.tif 000007